(57)【特許請求の範囲】
【請求項１】
情報処理装置と電子ペンを具備する情報処理システムであって、
前記情報処理装置は、
問題を示す情報である問題情報と、当該問題に対応する正解を示す情報である正解情報を有するテスト情報を２以上格納しているテスト情報格納部と、
前記２以上の問題情報を順次、出力する問題情報出力部と、
各問題に対する解答を示す情報である解答情報を、前記電子ペンから受信する解答情報受信部と、
前記解答情報に対応する解答が、解答用紙に記載された時刻に関する情報である解答時刻情報を取得する解答時刻情報取得部と、
前記２以上の正解情報を順次、出力する正解情報出力部と、
前記各正解情報を出力した時刻に関する情報である正解出力時刻情報を取得する正解出力時刻情報取得部と、
１以上のまとまりのある問題ごとに、前記解答時刻情報取得部が取得した解答時刻情報と、前記正解出力時刻情報取得部が取得した正解出力時刻情報を用いて、解答時刻と正解出力時刻の前後を判断する時刻判断部と、
解答時刻が正解出力時刻より前であると前記時刻判断部が判断し、かつ前記解答情報と前記正解情報が合致する場合に、当該解答が正解であると判断し、
解答時刻が正解出力時刻より前であると前記時刻判断部が判断し、かつ前記解答情報と前記正解情報が合致しない場合に、当該解答が誤答であると判断し、
前記解答情報受信部が解答情報を受信しなかった問題に対しては、当該解答が無答であると判断し、
解答時刻が正解出力時刻より後であると前記時刻判断部が判断し、かつ前記解答情報と前記正解情報が合致する場合に、当該解答が時間外解答であると判断する正誤判断部と、
前記正誤判断部における、問題ごとの正誤の判断結果を出力する正誤判断結果出力部を具備し、
前記電子ペンは、
解答用紙である媒体に記載された解答情報を取得する解答情報取得部と、
前記解答報取得部が取得した解答情報を前記情報処理装置に送信する解答情報送信部を具備する情報処理システム。
【請求項２】
サーバ装置と情報処理装置と電子ペンを具備する情報処理システムであって、
前記サーバ装置は、
問題を示す情報である問題情報と、当該問題に対応する正解を示す情報である正解情報を有するテスト情報を２以上格納しているテスト情報格納部と、
前記２以上の問題情報を前記情報処理装置に送信する問題情報送信部と、
各問題に対する解答を示す情報である解答情報を、前記情報処理装置から受信する解答情報受信部と、
前記解答情報に対応する解答が、解答用紙に記載された時刻に関する情報である解答時刻情報を取得する解答時刻情報取得部と、
前記２以上の正解情報を前記情報処理装置に送信する正解情報送信部と、
前記各正解情報を前記情報処理装置に出力した時刻に関する情報である正解出力時刻情報を取得する正解出力時刻情報取得部と、
１以上のまとまりのある問題ごとに、前記解答時刻情報取得部が取得した解答時刻情報と、前記正解出力時刻情報取得部が取得した正解出力時刻情報を用いて、解答時刻と正解出力時刻の前後を判断する時刻判断部と、
解答時刻が正解出力時刻より前であると前記時刻判断部が判断し、かつ前記解答情報と前記正解情報が合致する場合に、当該解答が正解であると判断し、
解答時刻が正解出力時刻より前であると前記時刻判断部が判断し、かつ前記解答情報と前記正解情報が合致しない場合に、当該解答が誤答であると判断し、
前記解答情報受信部が解答情報を受信しなかった問題に対しては、当該解答が無答であると判断し、
解答時刻が正解出力時刻より後であると前記時刻判断部が判断し、かつ前記解答情報と前記正解情報が合致する場合に、当該解答が時間外解答であると判断する正誤判断部と、
前記正誤判断部における、問題ごとの正誤の判断結果を出力する正誤判断結果出力部を具備し、
前記情報処理装置は、
前記２以上の問題情報を前記サーバ装置から受信し、順次、出力する問題情報出力部と、
各問題に対する解答情報を、前記電子ペンから受信し、前記サーバ装置に送信する解答情報転送部と、
前記２以上の正解情報を前記サーバ装置から受信し、順次、出力する正解情報出力部を具備し、
前記電子ペンは、
前記媒体に記載された解答情報を取得する解答情報取得部と、
前記解答報取得部が取得した解答情報を前記情報処理装置に送信する解答情報送信部を具備する情報処理システム。
【請求項３】
情報処理装置と電子ペンを具備する情報処理システムであって、
前記情報処理装置は、
問題を示す情報である問題情報と、当該問題に対応する正解を示す情報である正解情報を有するテスト情報を２以上格納しているテスト情報格納部と、
前記２以上の問題情報を順次、出力する問題情報出力部と、
各問題に対する解答を示す情報である解答情報を、前記電子ペンから受信する解答情報受信部と、
前記解答情報に対応する解答が、解答用紙に記載された時刻に関する情報である解答時刻情報を取得する解答時刻情報取得部と、
前記解答時刻情報取得部が取得した解答時刻情報と、１以上のまとまりのある問題ごとの解答制限時間情報を用いて、前記１以上の問題の解答が制限時間内の解答であるか否かを判断する時刻判断部と、
解答が制限時間内の解答であると前記時刻判断部が判断し、かつ当該解答に対応する解答情報と正解情報が合致する場合に、当該解答が正解であると判断し、
解答が制限時間内の解答であると前記時刻判断部が判断し、かつ当該解答に対応する解答情報と正解情報が合致しない場合に、当該解答が誤答であると判断し、
前記解答情報受信部が解答情報を受信しなかった問題に対しては、当該解答が無答であると判断し、
解答が制限時間外の解答であると前記時刻判断部が判断し、かつ前記解答情報と前記正解情報が合致する場合に、当該解答が時間外解答であると判断する正誤判断部と、
前記正誤判断部における、問題ごと、または１以上のまとまりのある問題ごとの正誤の判断結果を出力する正誤判断結果出力部を具備し、
前記電子ペンは、
解答用紙である媒体に記載された解答情報を取得する解答情報取得部と、
前記解答報取得部が取得した解答情報を前記情報処理装置に送信する解答情報送信部を具備する情報処理システム。
【請求項４】
サーバ装置と情報処理装置と電子ペンを具備する情報処理システムであって、
前記サーバ装置は、
問題を示す情報である問題情報と、当該問題に対応する正解を示す情報である正解情報を有するテスト情報を２以上格納しているテスト情報格納部と、
前記２以上の問題情報を前記情報処理装置に送信する問題情報送信部と、
各問題に対する解答を示す情報である解答情報を、前記情報処理装置から受信する解答情報受信部と、
前記解答情報に対応する解答が、解答用紙に記載された時刻に関する情報である解答時刻情報を取得する解答時刻情報取得部と、
前記解答時刻情報取得部が取得した解答時刻情報と、１以上のまとまりのある問題ごとの解答制限時間情報を用いて、前記１以上の問題の解答が制限時間内の解答であるか否かを判断する時刻判断部と、
解答が制限時間内の解答であると前記時刻判断部が判断し、かつ当該解答に対応する解答情報と正解情報が合致する場合に、当該解答が正解であると判断し、
解答が制限時間内の解答であると前記時刻判断部が判断し、かつ当該解答に対応する解答情報と正解情報が合致しない場合に、当該解答が誤答であると判断し、
前記解答情報受信部が解答情報を受信しなかった問題に対しては、当該解答が無答であると判断し、
解答が制限時間外の解答であると前記時刻判断部が判断し、かつ前記解答情報と前記正解情報が合致する場合に、当該解答が時間外解答であると判断する正誤判断部と、
前記正誤判断部における、問題ごとの正誤の判断結果を出力する正誤判断結果出力部を具備し、
前記情報処理装置は、
前記２以上の問題情報を前記サーバ装置から受信し、順次、出力する問題情報出力部と、
各問題に対する解答情報を、前記電子ペンから受信し、前記サーバ装置に送信する解答情報転送部を具備し、
前記電子ペンは、
前記媒体に記載された解答情報を取得する解答情報取得部と、
前記解答報取得部が取得した解答情報を前記情報処理装置に送信する解答情報送信部を具備する情報処理システム。
【請求項５】
前記時刻判断部は、
前記解答時刻情報取得部が取得した解答時刻情報と、２以上のまとまりのある問題ごとの解答制限時間情報を用いて、前記２以上の問題の解答が制限時間内の解答であるか否かを判断する請求項３または請求項４記載の情報処理システム。
【請求項６】
請求項１から請求項５いずれか記載の情報処理システムを構成する情報処理装置。
【請求項７】
請求項２または請求項４記載の情報処理システムを構成するサーバ装置。
【請求項８】
コンピュータを、
２以上の問題情報を順次、出力する問題情報出力部と、
各問題に対する解答を示す情報である解答情報を、電子ペンから受信する解答情報受信部と、
解答情報に対応する解答が、解答用紙に記載された時刻に関する情報である解答時刻情報を取得する解答時刻情報取得部と、
２以上の正解情報を順次、出力する正解情報出力部と、
前記各正解情報を出力した時刻に関する情報である正解出力時刻情報を取得する正解出力時刻情報取得部と、
１以上のまとまりのある問題ごとに、前記解答時刻情報取得部が取得した解答時刻情報と、前記正解出力時刻情報取得部が取得した正解出力時刻情報を用いて、解答時刻と正解出力時刻の前後を判断する時刻判断部と、
解答時刻が正解出力時刻より前であると前記時刻判断部が判断し、かつ前記解答情報と前記正解情報が合致する場合に、当該解答が正解であると判断し、
解答時刻が正解出力時刻より前であると前記時刻判断部が判断し、かつ前記解答情報と前記正解情報が合致しない場合に、当該解答が誤答であると判断し、
前記解答情報受信部が解答情報を受信しなかった問題に対しては、当該解答が無答であると判断し、
解答時刻が正解出力時刻より後であると前記時刻判断部が判断し、かつ前記解答情報と前記正解情報が合致する場合に、当該解答が時間外解答であると判断する正誤判断部と、
前記正誤判断部における、問題ごとの正誤の判断結果を出力する正誤判断結果出力部として機能させるためのプログラム。
【請求項９】
コンピュータを、
２以上の問題情報を情報処理装置に送信する問題情報送信部と、
各問題に対する解答を示す情報である解答情報を、前記情報処理装置から受信する解答情報受信部と、
前記解答情報に対応する解答が、解答用紙に記載された時刻に関する情報である解答時刻情報を取得する解答時刻情報取得部と、
前記２以上の正解情報を前記情報処理装置に送信する正解情報送信部と、
前記各正解情報を前記情報処理装置に出力した時刻に関する情報である正解出力時刻情報を取得する正解出力時刻情報取得部と、
１以上のまとまりのある問題ごとに、前記解答時刻情報取得部が取得した解答時刻情報と、前記正解出力時刻情報取得部が取得した正解出力時刻情報を用いて、解答時刻と正解出力時刻の前後を判断する時刻判断部と、
解答時刻が正解出力時刻より前であると前記時刻判断部が判断し、かつ前記解答情報と前記正解情報が合致する場合に、当該解答が正解であると判断し、
解答時刻が正解出力時刻より前であると前記時刻判断部が判断し、かつ前記解答情報と前記正解情報が合致しない場合に、当該解答が誤答であると判断し、
前記解答情報受信部が解答情報を受信しなかった問題に対しては、当該解答が無答であると判断し、
解答時刻が正解出力時刻より後であると前記時刻判断部が判断し、かつ前記解答情報と前記正解情報が合致する場合に、当該解答が時間外解答であると判断する正誤判断部と、
前記正誤判断部における、問題ごとの正誤の判断結果を出力する正誤判断結果出力部として機能させるためのプログラム。
【請求項１０】
コンピュータを、
２以上の問題情報を順次、出力する問題情報出力部と、
各問題に対する解答を示す情報である解答情報を、電子ペンから受信する解答情報受信部と、
前記解答情報に対応する解答が、解答用紙に記載された時刻に関する情報である解答時刻情報を取得する解答時刻情報取得部と、
前記解答時刻情報取得部が取得した解答時刻情報と、１以上のまとまりのある問題ごとの解答制限時間情報を用いて、前記１以上の問題の解答が制限時間内の解答であるか否かを判断する時刻判断部と、
解答が制限時間内の解答であると前記時刻判断部が判断し、かつ当該解答に対応する解答情報と正解情報が合致する場合に、当該解答が正解であると判断し、
解答が制限時間内の解答であると前記時刻判断部が判断し、かつ当該解答に対応する解答情報と正解情報が合致しない場合に、当該解答が誤答であると判断し、
前記解答情報受信部が解答情報を受信しなかった問題に対しては、当該解答が無答であると判断し、
解答が制限時間外の解答であると前記時刻判断部が判断し、かつ前記解答情報と前記正解情報が合致する場合に、当該解答が時間外解答であると判断する正誤判断部と、
前記正誤判断部における、問題ごと、または１以上のまとまりのある問題ごとの正誤の判断結果を出力する正誤判断結果出力部として機能させるためのプログラム。
【請求項１１】
コンピュータを、
２以上の問題情報を情報処理装置に送信する問題情報送信部と、
各問題に対する解答を示す情報である解答情報を、前記情報処理装置から受信する解答情報受信部と、
前記解答情報に対応する解答が、解答用紙に記載された時刻に関する情報である解答時刻情報を取得する解答時刻情報取得部と、
前記解答時刻情報取得部が取得した解答時刻情報と、１以上のまとまりのある問題ごとの解答制限時間情報を用いて、前記１以上の問題の解答が制限時間内の解答であるか否かを判断する時刻判断部と、
解答が制限時間内の解答であると前記時刻判断部が判断し、かつ当該解答に対応する解答情報と正解情報が合致する場合に、当該解答が正解であると判断し、
解答が制限時間内の解答であると前記時刻判断部が判断し、かつ当該解答に対応する解答情報と正解情報が合致しない場合に、当該解答が誤答であると判断し、
前記解答情報受信部が解答情報を受信しなかった問題に対しては、当該解答が無答であると判断し、
解答が制限時間外の解答であると前記時刻判断部が判断し、かつ前記解答情報と前記正解情報が合致する場合に、当該解答が時間外解答であると判断する正誤判断部と、
前記正誤判断部における、問題ごとの正誤の判断結果を出力する正誤判断結果出力部として機能させるためのプログラム。
【請求項１２】
問題情報出力部、解答情報受信部、解答時刻情報取得部、正解情報出力部、正解出力時刻情報取得部、時刻判断部、正誤判断部、および正誤判断結果出力部により実現される情報処理方法であって、
前記問題情報出力部により、２以上の問題情報を順次、出力する問題情報出力ステップと、
前記解答情報受信部により、各問題に対する解答を示す情報である解答情報を、電子ペンから受信する解答情報受信ステップと、
前記解答時刻情報取得部により、前記解答情報に対応する解答が、解答用紙に記載された時刻に関する情報である解答時刻情報を取得する解答時刻情報取得ステップと、
前記正解情報出力部により、２以上の正解情報を順次、出力する正解情報出力ステップと、
前記正解出力時刻情報取得部により、前記各正解情報を出力した時刻に関する情報である正解出力時刻情報を取得する正解出力時刻情報取得ステップと、
前記時刻判断部により、１以上のまとまりのある問題ごとに、前記解答時刻情報取得ステップで取得した解答時刻情報と、前記正解出力時刻情報取得ステップで取得した正解出力時刻情報を用いて、解答時刻と正解出力時刻の前後を判断する時刻判断ステップと、
前記正誤判断部により、解答時刻が正解出力時刻より前であると前記時刻判断ステップで判断され、かつ前記解答情報と前記正解情報が合致する場合に、当該解答が正解であると判断し、
解答時刻が正解出力時刻より前であると前記時刻判断ステップで判断され、かつ前記解答情報と前記正解情報が合致しない場合に、当該解答が誤答であると判断し、
前記解答情報受信ステップで解答情報が受信されなかった問題に対しては、当該解答が無答であると判断し、
解答時刻が正解出力時刻より後であると前記時刻判断ステップで判断され、かつ前記解答情報と前記正解情報が合致する場合に、当該解答が時間外解答であると判断する正誤判断ステップと、
前記正誤判断結果出力部により、前記正誤判断ステップにおける、問題ごとの正誤の判断結果を出力する正誤判断結果出力ステップを具備する情報処理方法。
【請求項１３】
問題情報送信部、解答情報受信部、解答時刻情報取得部、正解情報出力部、正解出力時刻情報取得部、時刻判断部、正誤判断部、および正誤判断結果出力部により実現される情報処理方法であって、
前記問題情報送信部により、２以上の問題情報を情報処理装置に送信する問題情報送信ステップと、
前記解答情報受信部により、各問題に対する解答を示す情報である解答情報を、前記情報処理装置から受信する解答情報受信ステップと、
前記解答時刻情報取得部により、前記解答情報に対応する解答が、解答用紙に記載された時刻に関する情報である解答時刻情報を取得する解答時刻情報取得ステップと、
前記正解情報送信部により、前記２以上の正解情報を前記情報処理装置に送信する正解情報送信ステップと、
前記正解出力時刻情報取得部により、前記各正解情報を前記情報処理装置に出力した時刻に関する情報である正解出力時刻情報を取得する正解出力時刻情報取得ステップと、
前記時刻判断部により、１以上のまとまりのある問題ごとに、前記解答時刻情報取得ステップで取得された解答時刻情報と、前記正解出力時刻情報取得ステップで取得された正解出力時刻情報を用いて、解答時刻と正解出力時刻の前後を判断する時刻判断ステップと、
前記正誤判断部により、解答時刻が正解出力時刻より前であると前記時刻判断ステップで判断され、かつ前記解答情報と前記正解情報が合致する場合に、当該解答が正解であると判断し、
解答時刻が正解出力時刻より前であると前記時刻判断ステップで判断され、かつ前記解答情報と前記正解情報が合致しない場合に、当該解答が誤答であると判断し、
前記解答情報受信ステップで解答情報が受信されなかった問題に対しては、当該解答が無答であると判断し、
解答時刻が正解出力時刻より後であると前記時刻判断ステップで判断され、かつ前記解答情報と前記正解情報が合致する場合に、当該解答が時間外解答であると判断する正誤判断ステップと、
前記正誤判断結果出力部により、前記正誤判断ステップにおける、問題ごとの正誤の判断結果を出力する正誤判断結果出力ステップを具備する情報処理方法。
【請求項１４】
問題情報出力部、解答情報受信部、解答時刻情報取得部、正解情報出力部、正解出力時刻情報取得部、時刻判断部、正誤判断部、および正誤判断結果出力部により実現される情報処理方法であって、
前記問題情報出力部により、２以上の問題情報を順次、出力する問題情報出力ステップと、
前記解答情報受信部により、各問題に対する解答を示す情報である解答情報を、電子ペンから受信する解答情報受信ステップと、
前記解答時刻情報取得部により、前記解答情報に対応する解答が、解答用紙に記載された時刻に関する情報である解答時刻情報を取得する解答時刻情報取得ステップと、
前記時刻判断部により、前記解答時刻情報取得ステップで取得された解答時刻情報と、１以上のまとまりのある問題ごとの解答制限時間情報を用いて、前記１以上の問題の解答が制限時間内の解答であるか否かを判断する時刻判断ステップと、
前記正誤判断部により、解答が制限時間内の解答であると前記時刻判断ステップで判断され、かつ当該解答に対応する解答情報と正解情報が合致する場合に、当該解答が正解であると判断し、
解答が制限時間内の解答であると前記時刻判断ステップで判断され、かつ当該解答に対応する解答情報と正解情報が合致しない場合に、当該解答が誤答であると判断し、
前記解答情報受信ステップで解答情報を受信されなかった問題に対しては、当該解答が無答であると判断し、
解答が制限時間外の解答であると前記時刻判断ステップで判断され、かつ前記解答情報と前記正解情報が合致する場合に、当該解答が時間外解答であると判断する正誤判断ステップと、
前記正誤判断結果出力部により、前記正誤判断ステップにおける、問題ごと、または１以上のまとまりのある問題ごとの正誤の判断結果を出力する正誤判断結果出力部を具備する情報処理方法。
【請求項１５】
問題情報送信部、解答情報受信部、解答時刻情報取得部、正解情報出力部、正解出力時刻情報取得部、時刻判断部、正誤判断部、および正誤判断結果出力部により実現される情報処理方法であって、
前記問題情報送信部により、２以上の問題情報を情報処理装置に送信する問題情報送信ステップと、
前記解答情報受信部により、各問題に対する解答を示す情報である解答情報を、前記情報処理装置から受信する解答情報受信ステップと、
前記解答時刻情報取得部により、前記解答情報に対応する解答が、解答用紙に記載された時刻に関する情報である解答時刻情報を取得する解答時刻情報取得ステップと、
前記時刻判断部により、前記解答時刻情報取得ステップで取得された解答時刻情報と、１以上のまとまりのある問題ごとの解答制限時間情報を用いて、前記１以上の問題の解答が制限時間内の解答であるか否かを判断する時刻判断ステップと、
前記正誤判断部により、解答が制限時間内の解答であると前記時刻判断ステップで判断され、かつ当該解答に対応する解答情報と正解情報が合致する場合に、当該解答が正解であると判断し、
解答が制限時間内の解答であると前記時刻判断ステップで判断され、かつ当該解答に対応する解答情報と正解情報が合致しない場合に、当該解答が誤答であると判断し、
前記解答情報受信ステップで解答情報が受信されなかった問題に対しては、当該解答が無答であると判断し、
解答が制限時間外の解答であると前記時刻判断ステップで判断され、かつ前記解答情報と前記正解情報が合致する場合に、当該解答が時間外解答であると判断する正誤判断ステップと、
前記正誤判断結果出力部により、前記正誤判断ステップにおける、問題ごとの正誤の判断結果を出力する正誤判断結果出力ステップを具備する情報処理方法。
【発明の詳細な説明】
【技術分野】
【０００１】
本発明は、解答後、順次、正解が表示される学習システムにおける採点、または評価方法等に関するものである。
【背景技術】
【０００２】
従来、学習問題集又は学力テストにおける学習者個々のつまずきや弱点又は学力状況に応じた個別学習指導を提供する情報処理システムがあった（例えば、特許文献１参照）。
【０００３】
本システムは、コンピュータ技術を用いて、学力テスト又は学習問題集をＷＥＢページのフォーマットに編集し、ペーパーレス化された学習問題のデータベースを構成する。続いて、インターネット上で、このような学力テスト問題を学習者に提供し、制限時間内に、学習者の学力をテストする。更に、オンラインで、学習者の解答を採点することで、正解、誤答の分布と分類などを統計し、学習者毎に学力診断カルテを構築できる。こうすると、学習者の学習状況を一貫して把握できるだけではなく、学習者個々のつまずきや弱点又は学力状況に応じた補強用復習問題、復習テストなども提供できる。
【特許文献１】特開２００２−１４９０４７公報（第１頁、第１図等）
【発明の開示】
【発明が解決しようとする課題】
【０００４】
しかしながら、従来の情報処理システムにおいては、解答後、すぐに正解をチェックしながら学習を進めていく、という効果的な学習ができなかった。
【課題を解決するための手段】
【０００５】
本第一の発明の情報処理システムは、情報処理装置と電子ペンを具備する情報処理システムであって、前記情報処理装置は、問題を示す情報である問題情報と、当該問題に対応する正解を示す情報である正解情報を有するテスト情報を２以上格納しているテスト情報格納部と、前記２以上の問題情報を順次、出力する問題情報出力部と、各問題に対する解答を示す情報である解答情報を、前記電子ペンから受信する解答情報受信部と、前記解答情報に対応する解答が、解答用紙に記載された時刻に関する情報である解答時刻情報を取得する解答時刻情報取得部と、前記２以上の正解情報を順次、出力する正解情報出力部と、前記各正解情報を出力した時刻に関する情報である正解出力時刻情報を取得する正解出力時刻情報取得部と、1以上のまとまりのある問題ごとに、前記解答時刻情報取得部が取得した解答時刻情報と、前記正解出力時刻情報取得部が取得した正解出力時刻情報を用いて、解答時刻と正解出力時刻の前後を判断する時刻判断部と、解答時刻が正解出力時刻より前であると前記時刻判断部が判断し、かつ前記解答情報と前記正解情報が合致する場合に、当該解答が正解であると判断し、解答時刻が正解出力時刻より後であると前記時刻判断部が判断した場合に、常に、当該解答が誤答であると判断し、前記解答情報と前記正解情報が合致しない場合に、当該解答が誤答であると判断する正誤判断部と、前記正誤判断部における、問題ごとの正誤の判断結果を出力する正誤判断結果出力部を具備し、前記電子ペンは、解答用紙である媒体に記載された解答情報を取得する解答情報取得部と、前記解答報取得部が取得した解答情報を前記情報処理装置に送信する解答情報送信部を具備する情報処理システムである。
【０００６】
かかる構成により、正解が出力された後に解答を記載した場合に、誤答であると自動的に判断でき、不正を無くし、また、正確な学力判定ができる。
【０００７】
また、本第二の発明の情報処理システムは、サーバ装置と情報処理装置と電子ペンを具備する情報処理システムであって、前記サーバ装置は、問題を示す情報である問題情報と、当該問題に対応する正解を示す情報である正解情報を有するテスト情報を２以上格納しているテスト情報格納部と、前記２以上の問題情報を前記情報処理装置に送信する問題情報送信部と、各問題に対する解答を示す情報である解答情報を、前記情報処理装置から受信する解答情報受信部と、前記解答情報に対応する解答が、解答用紙に記載された時刻に関する情報である解答時刻情報を取得する解答時刻情報取得部と、前記２以上の正解情報を前記情報処理装置に送信する正解情報送信部と、前記各正解情報を前記情報処理装置に出力した時刻に関する情報である正解出力時刻情報を取得する正解出力時刻情報取得部と、１以上のまとまりのある問題ごとに、前記解答時刻情報取得部が取得した解答時刻情報と、前記正解出力時刻情報取得部が取得した正解出力時刻情報を用いて、解答時刻と正解出力時刻の前後を判断する時刻判断部と、解答時刻が正解出力時刻より前であると前記時刻判断部が判断し、かつ前記解答情報と前記正解情報が合致する場合に、当該解答が正解であると判断し、解答時刻が正解出力時刻より後であると前記時刻判断部が判断した場合に、常に、当該解答が誤答であると判断し、前記解答情報と前記正解情報が合致しない場合に、当該解答が誤答であると判断する正誤判断部と、前記正誤判断部における、問題ごとの正誤の判断結果を出力する正誤判断結果出力部を具備し、前記情報処理装置は、前記２以上の問題情報を前記サーバ装置から受信し、順次、出力する問題情報出力部と、各問題に対する解答情報を、前記電子ペンから受信し、前記情報処理装置に送信する解答情報転送部と、前記２以上の正解情報を前記サーバ装置から受信し、順次、出力する正解情報出力部を具備し、前記電子ペンは、前記媒体に記載された解答情報を取得する解答情報取得部と、前記解答報取得部が取得した解答情報を前記情報処理装置に送信する解答情報送信部を具備する情報処理システムである。
【０００８】
かかる構成により、正解が出力された後に解答を記載した場合に、誤答であると自動的に判断でき、不正を無くし、また、正確な学力判定ができる。
【０００９】
また、本第三の発明の情報処理システムは、情報処理装置と電子ペンを具備する情報処理システムであって、前記情報処理装置は、問題を示す情報である問題情報と、当該問題に対応する正解を示す情報である正解情報を有するテスト情報を２以上格納しているテスト情報格納部と、前記２以上の問題情報を順次、出力する問題情報出力部と、各問題に対する解答を示す情報である解答情報を、前記電子ペンから受信する解答情報受信部と、前記解答情報に対応する解答が、解答用紙に記載された時刻に関する情報である解答時刻情報を取得する解答時刻情報取得部と、前記解答時刻情報取得部が取得した解答時刻情報と、１以上のまとまりのある問題ごとの解答制限時間情報を用いて、前記１以上の問題の解答が制限時間内の解答であるか否かを判断する時刻判断部と、解答が制限時間内の解答であると前記時刻判断部が判断し、かつ当該解答に対応する解答情報と正解情報が合致する場合に、当該解答が正解であると判断し、解答が制限時間外の解答であると前記時刻判断部が判断した場合に、常に、当該解答が誤答であると判断し、前記解答情報と前記正解情報が合致しない場合に、当該解答が誤答であると判断する正誤判断部と、前記正誤判断部における、問題ごと、または１以上のまとまりのある問題ごとの正誤の判断結果を出力する正誤判断結果出力部を具備し、前記電子ペンは、解答用紙である媒体に記載された解答情報を取得する解答情報取得部と、前記解答報取得部が取得した解答情報を前記情報処理装置に送信する解答情報送信部を具備する情報処理システムである。
【００１０】
かかる構成により、1以上のまとまりのある問題ごとの解答制限時間内に解答できない場合に、誤答であると自動的に判断でき、不正を無くし、また、正確な学力判定ができる。
【００１１】
また、本第四の発明の情報処理システムは、サーバ装置と情報処理装置と電子ペンを具備する情報処理システムであって、前記サーバ装置は、問題を示す情報である問題情報と、当該問題に対応する正解を示す情報である正解情報を有するテスト情報を２以上格納しているテスト情報格納部と、前記２以上の問題情報を前記情報処理装置に送信する問題情報送信部と、各問題に対する解答を示す情報である解答情報を、前記情報処理装置から受信する解答情報受信部と、前記解答情報に対応する解答が、解答用紙に記載された時刻に関する情報である解答時刻情報を取得する解答時刻情報取得部と、前記解答時刻情報取得部が取得した解答時刻情報と、１以上のまとまりのある問題ごとの解答制限時間情報を用いて、前記１以上の問題の解答が制限時間内の解答であるか否かを判断する時刻判断部と、解答が制限時間内の解答であると前記時刻判断部が判断し、かつ当該解答に対応する解答情報と正解情報が合致する場合に、当該解答が正解であると判断し、解答が制限時間外の解答であると前記時刻判断部が判断した場合に、常に、当該解答が誤答であると判断し、前記解答情報と前記正解情報が合致しない場合に、当該解答が誤答であると判断する正誤判断部と、前記正誤判断部における、問題ごとの正誤の判断結果を出力する正誤判断結果出力部を具備し、前記情報処理装置は、前記２以上の問題情報を前記サーバ装置から受信し、順次、出力する問題情報出力部と、各問題に対する解答情報を、前記電子ペンから受信し、前記情報処理装置に送信する解答情報転送部を具備し、前記電子ペンは、前記媒体に記載された解答情報を取得する解答情報取得部と、前記解答報取得部が取得した解答情報を前記情報処理装置に送信する解答情報送信部を具備する情報処理システムである。
【００１２】
かかる構成により、1以上のまとまりのある問題ごとの解答制限時間内に解答できない場合に、誤答であると自動的に判断でき、不正を無くし、また、正確な学力判定ができる。
【００１３】
また、本第五の発明の情報処理システムは、第一、第二いずれかの発明に対して、前記正解情報出力部は、ユーザに指示の受け付けに対応して、正解情報を出力する情報処理システムである。
【００１４】
かかる構成により、マイペースで学習でき、かつ、不正を無くし、また、正確な学力判定ができる。
【００１５】
また、本第六の発明の情報処理システムは、第一から第四いずれかの発明に対して、前記問題情報出力部は、２問目以降の問題情報の少なくとも１以上の問題情報を、ユーザの指示を受け付けずに自動的に出力する情報処理システムである。
【００１６】
かかる構成により、次々に問題が出力されるので、学習効果が上がり、脳の活性化に役立つ学習ができる。また、不正を無くし、また、正確な学力判定ができる。
【００１７】
また、本第七の発明の情報処理システムは、第一、第二から第五いずれかの発明に対して、前記正解情報出力部は、２問目以降の問題に対応する正解情報の少なくとも１以上の正解情報を、ユーザの指示を受け付けずに自動的に出力する情報処理システムである。
【００１８】
かかる構成により、解答後、ただちに正解を見ることができるので、学習効果が上がる。また、不正を無くし、また、正確な学力判定ができる。
【００１９】
また、本第八の発明の情報処理システムは、第一、第二から第七いずれかの発明に対して、前記正誤判断部は、解答時刻が正解出力時刻より前であると前記時刻判断部が判断し、かつ前記解答情報と前記正解情報が合致する場合に、当該解答が正解であると前記時刻判断部が判断し、解答時刻が正解出力時刻より前であると判断し、かつ前記解答情報と前記正解情報が合致しない場合に、当該解答が誤答であると判断し、前記解答情報受信部が解答情報を受信しなかった問題に対しては、当該解答が無答であると判断し、解答時刻が正解出力時刻より後であると前記時刻判断部が判断し、かつ前記解答情報と前記正解情報が合致する場合に、当該解答が時間外解答であると判断する情報処理システムである。
【００２０】
かかる構成により、正誤判断がきめ細かくでき、その結果、学習者の学力レベルが正確に把握できる。その結果、学習者に対して適切な指導が可能となる。
【００２１】
また、本第九の発明の情報処理システムは、第三、第四から第七いずれかの発明に対して、前記正誤判断部は、解答時刻が正解出力時刻より前であると前記時刻判断部が判断し、かつ前記解答情報と前記正解情報が合致する場合に、当該解答が正解であると前記時刻判断部が判断し、解答時刻が正解出力時刻より前であると判断し、かつ前記解答情報と前記正解情報が合致しない場合に、当該解答が誤答であると判断し、前記解答情報受信部が解答情報を受信しなかった問題に対しては、当該解答が無答であると判断し、解答時刻が正解出力時刻より後であると前記時刻判断部が判断し、かつ前記解答情報と前記正解情報が合致する場合に、当該解答が時間外解答であると判断する情報処理システムである。
【００２２】
かかる構成により、正誤判断がきめ細かくでき、その結果、学習者の学力レベルが正確に把握できる。その結果、学習者に対して適切な指導が可能となる。
【発明の効果】
【００２３】
本発明による情報処理システムによれば、正確な学力判定または、正確な採点等が可能となる。
【発明を実施するための最良の形態】
【００２４】
以下、情報処理システム等の実施形態について図面を参照して説明する。なお、実施の形態において同じ符号を付した構成要素は同様の動作を行うので、再度の説明を省略する場合がある。
（実施の形態１）
【００２５】
本実施の形態において、電子ペンを用いて、問題に対する解答を記載して、自動採点を行う学習システム（情報処理システム）において、ユーザの解答時刻と正解の表示時刻とを用いて、またはユーザの解答時刻と解答制限時間等とを用いて、正解の表示後に、ユーザが解答を入力した場合などは、正解にしない、情報処理システムについて説明する。
【００２６】
また、本実施の形態における情報処理システムは、採点の結果は、正解、誤答、無答、時間外解答などに区分でき、正確な学力の判定、学習者の課題の認定が可能となる情報処理システムである。
【００２７】
図１は、本実施の形態における情報処理システムの概念図である。情報処理システム１は、情報処理装置１１と電子ペン１２を具備する。図２は、本実施の形態における情報処理システムのブロック図である。
【００２８】
情報処理装置１１は、指示受付部１１００、テスト情報格納部１１０１、問題情報出力部１１０２、解答情報受信部１１０３、解答時刻情報取得部１１０４、正解情報出力部１１０５、正解出力時刻情報取得部１１０６、時刻判断部１１０７、正誤判断部１１０８、正誤判断結果出力部１１０９を具備する。
【００２９】
電子ペン１２は、解答情報取得部１２０１、解答情報送信部１２０２を具備する。
【００３０】
指示受付部１１００は、開始指示などの各種指示、データ等を受け付ける。開始指示とは、テストの開始の指示である。テストとは、いわゆる試験の他、添削や、普段の学習や、いわゆる小テストなども含む広い概念である。テストとは、問題に対して解答する行為すべてを言う。指示等の入力手段は、キーボードやマウスやメニュー画面によるもの等、何でも良い。指示受付部１１００は、キーボード等の入力手段のデバイスドライバーや、メニュー画面の制御ソフトウェア等で実現され得る。また、指示受付部１１００は、電子ペン１２から指示等を受信しても良い。
【００３１】
テスト情報格納部１１０１は、テスト情報を２以上格納している。テスト情報は、問題を示す情報である問題情報と、当該問題に対応する正解を示す情報である正解情報を有する。テスト情報格納部１１０１は、不揮発性の記録媒体が好適であるが、揮発性の記録媒体でも実現可能である。問題情報、正解情報、およびテスト情報のデータ構造等は問わない。
【００３２】
問題情報出力部１１０２は、テスト情報格納部１１０１に格納されている２以上の問題情報を順次、出力する。問題情報出力部１１０２は、２問目以降の問題情報の少なくとも1以上の問題情報を、ユーザの指示を受け付けずに自動的に出力することは好適である。また、問題情報出力部１１０２は、２問目以降の問題情報をすべて、ユーザの指示を受け付けずに、順次、自動的に出力することは好適である。自動的に問題情報を出力する場合、問題情報出力部１１０２は、一定の時間間隔で問題情報を順次、出力することは好適であるが、一定の時間間隔でなくても良い。ここで、出力とは、通常、ディスプレイへの表示や外部の装置（デイスプレイ装置）への送信であるが、音声出力等をも含む概念である。問題情報出力部１１０２は、ディスプレイやスピーカー等の出力デバイスを含むと考えても含まないと考えても良い。問題情報出力部１１０２は、テスト情報格納部１１０１に格納されている２以上の問題情報を一括して読み込み、順次、出力しても良いことは言うまでもない。問題情報出力部１１０２は、出力デバイスのドライバーソフトまたは、出力デバイスのドライバーソフトと出力デバイス等で実現され得る。
【００３３】
解答情報受信部１１０３は、解答情報を電子ペン１２から受信する。解答情報とは、各問題に対する解答を示す情報である。解答情報受信部１１０３は、直接、解答情報を電子ペン１２から受信しても良いし、他の装置を介して、解答情報を電子ペン１２から受信しても良い。また、解答情報は、例えば、座標情報の集合である。座標情報は、電子ペン１２の軌跡の情報である。解答情報受信部１１０３は、通常、無線または有線の通信手段で実現されるが、放送を受信する手段で実現されても良い。
【００３４】
解答時刻情報取得部１１０４は、解答情報に対応する解答が、解答用紙に記載された時刻に関する情報である解答時刻情報を取得する。解答用紙は、たとえば、いわゆるアノトペーパーと言われるものであり、特殊なドットマトリクスが印刷された媒体である。解答用紙は、通常、紙媒体であるが、紙であるとは限らない。解答時刻情報は、電子ペン１２が取得する時刻情報でも、情報処理装置１１が取得する時刻情報でも良い。解答時刻情報取得部１１０４は、電子ペン１２から解答時刻情報を受信しても良い。また、解答時刻情報取得部１１０４は、解答情報受信部１１０３が解答情報を受信した時刻を取得し、当該時刻を示す情報を解答時刻情報としても良い。つまり、解答時刻情報は、解答用紙に、ユーザが解答を記載した時刻に近似する時刻であれば良い。解答時刻情報取得部１１０４は、通常、ＭＰＵやメモリ等から実現され得る。解答時刻情報取得部１１０４の処理手順は、通常、ソフトウェアで実現され、当該ソフトウェアはＲＯＭ等の記録媒体に記録されている。但し、ハードウェア（専用回路）で実現しても良い。
【００３５】
正解情報出力部１１０５は、２以上の正解情報を順次、出力する。正解情報出力部１１０５は、ユーザの指示の受け付けに対応して、正解情報を出力しても良い。また、正解情報出力部１１０５は、２問目以降の問題に対応する正解情報の少なくとも1以上の正解情報を、ユーザの指示を受け付けずに自動的に出力することは好適である。自動的に正解情報を出力する場合、正解情報出力部１１０５は、一定の時間間隔で正解情報を順次、出力することは好適であるが、一定の時間間隔でなくても良い。ここで、出力とは、通常、ディスプレイへの表示や外部の装置（デイスプレイ装置）への送信であるが、音声出力等をも含む概念である。正解情報出力部１１０５は、ディスプレイやスピーカー等の出力デバイスを含むと考えても含まないと考えても良い。正解情報出力部１１０５は、出力デバイスのドライバーソフトまたは、出力デバイスのドライバーソフトと出力デバイス等で実現され得る。
【００３６】
正解出力時刻情報取得部１１０６は、正解出力時刻情報を取得する。正解出力時刻情報は、各正解情報を出力した時刻に関する情報である。正解出力時刻情報取得部１１０６は、ユーザから、正解情報の出力指示を受け付けた時刻を示す情報を正解出力時刻情報としても良いし、正解情報出力部１１０５が正解情報を出力した時刻を示す情報を正解出力時刻情報としても良い。その他、正解出力時刻情報は、正解情報を出力した時刻に近似する情報であれば良い。正解出力時刻情報取得部１１０６は、通常、ＭＰＵやメモリ等から実現され得る。正解出力時刻情報取得部１１０６の処理手順は、通常、ソフトウェアで実現され、当該ソフトウェアはＲＯＭ等の記録媒体に記録されている。但し、ハードウェア（専用回路）で実現しても良い。
【００３７】
時刻判断部１１０７は、1以上のまとまりのある問題ごとに、解答時刻情報取得部１１０４が取得した解答時刻情報と、正解出力時刻情報取得部１１０６が取得した正解出力時刻情報を用いて、解答時刻と正解出力時刻の前後を判断する。つまり、時刻判断部１１０７は、1以上のまとまりのある問題ごとに、正解情報が出力された後に、ユーザが解答を記載していないか否かを判断する。
【００３８】
また、時刻判断部１１０７は、解答時刻情報取得部１１０４が取得した解答時刻情報と、1以上のまとまりのある問題ごとの解答制限時刻（解答制限時間でも同意義である）を用いて、1以上の問題の解答が制限時間内の解答であるか否かを判断しても良い。かかる場合、正解情報は、必ずしも表示されなくても良い。また、かかる場合、時刻判断部１１０７は、問題ごとに解答制限時刻を持っていても良いし、各問題の統一した制限解答時間（例えば、１分）を持っていても良い。時刻判断部１１０７は、通常、ＭＰＵやメモリ等から実現され得る。時刻判断部１１０７の処理手順は、通常、ソフトウェアで実現され、当該ソフトウェアはＲＯＭ等の記録媒体に記録されている。但し、ハードウェア（専用回路）で実現しても良い。
【００３９】
正誤判断部１１０８は、解答が、「正解」か「誤答」かを判断する。かかる場合、正誤判断部１１０８は、解答時刻が正解出力時刻より後であると時刻判断部１１０７が判断した場合に、常に、当該解答が誤答であると判断する。なお、解答が２つのカテゴリーに分けられる場合の「誤答」とは、正解ではない、という意味である。
【００４０】
また、正誤判断部１１０８は、解答が、「正解」か、「誤答」か、「無答」か、「時間外解答」かの少なくとも４つのカテゴリーで、解答を分類する。
【００４１】
さらに具体的には、正誤判断部１１０８は、解答時刻が正解出力時刻より前であると時刻判断部１１０７が判断し、かつ解答情報と正解情報が合致する場合に、当該解答が正解であると判断し、解答時刻が正解出力時刻より後であると時刻判断部１１０７が判断した場合に、常に、当該解答が誤答であると判断し、解答情報と正解情報が合致しない場合に、当該解答が誤答であると判断する。
【００４２】
また、正誤判断部１１０８は、解答時刻が正解出力時刻より前であると時刻判断部１１０７が判断し、かつ解答情報と正解情報が合致する場合に、当該解答が正解であると時刻判断部１１０７が判断し、解答時刻が正解出力時刻より前であると判断し、かつ解答情報と正解情報が合致しない場合に、当該解答が誤答であると判断し、解答情報受信部１１０３が解答情報を受信しなかった（テスト時間中に受信しなかった場合、解答情報を受信せずに、制限時刻を一定時間以上経過した場合など）問題に対しては、当該解答が無答であると判断し、解答時刻が正解出力時刻より後であると時刻判断部１１０７が判断し、かつ解答情報と正解情報が合致する場合に、当該解答が時間外解答であると判断する、ことは好適である。
【００４３】
また、正誤判断部１１０８は、解答が制限時間内の解答であると時刻判断部１１０７が判断し、かつ当該解答に対応する解答情報と正解情報が合致する場合に、当該解答が正解であると判断し、解答が制限時間外の解答であると時刻判断部１１０７が判断した場合に、常に、当該解答が誤答であると判断し、解答情報と正解情報が合致しない場合に、当該解答が誤答であると判断しても良い。
【００４４】
正誤判断部１１０８は、通常、ＭＰＵやメモリ等から実現され得る。正誤判断部１１０８の処理手順は、通常、ソフトウェアで実現され、当該ソフトウェアはＲＯＭ等の記録媒体に記録されている。但し、ハードウェア（専用回路）で実現しても良い。
【００４５】
正誤判断結果出力部１１０９は、正誤判断部１１０８における、問題ごとの正誤の判断結果を出力する。正誤の判断とは、「正解」「誤答」の２通りのいずれかでも良いし、「正解」「誤答」「無答」「時間外解答」の４種類でも良いし、「正解」「誤答」「無答」「時間外解答，かつ正解」「時間外解答，かつ誤答」の５種類でも良いし、6種類以上でも良い。ここで、出力とは、ディスプレイへの表示、プリンタへの印字、音出力、外部の装置への送信、記憶媒体への蓄積等を含む概念である。正誤判断結果出力部１１０９は、ディスプレイやスピーカー等の出力デバイスを含むと考えても含まないと考えても良い。正誤判断結果出力部１１０９は、出力デバイスのドライバーソフトまたは、出力デバイスのドライバーソフトと出力デバイス等で実現され得る。
【００４６】
解答情報取得部１２０１は、解答用紙である媒体に記載された解答情報を取得する。解答情報は、例えば、電子ペン１２の軌跡を示す座標情報（Ｘ，Ｙ）の集合である。解答情報取得部１２０１が解答情報を取得する方法として、例えば、以下の方法がある。媒体に図３に示す特殊ドットパターンが印刷されている場合に、解答情報取得部１２０１は、特殊ドットパターンによる座標検出技術で実現され得る。具体的には、例えば、図３のような構成になる。図３の構成は、ＣＣＤカメラ３０１、パターン認識と解析を行うプロセッサ３０２で構成される。特殊ドットパターンは、０．３ｍｍピッチのグリッドに沿ってドットを示し、そのドットの配置をＲｉｇｈｔ／Ｌｅｆｔ／Ｕｐ／Ｄｏｗｎの４パターンで振り分けることでコード化を図る。そして、ＣＣＤカメラより、特殊ドットパターンを６０フレーム／秒で撮影し、入力する。そして、撮影した画像情報を解析することにより、入力装置であるＣＣＤカメラの移動（すなわち撮影されるドットパターンの変化）を検出することができる。ＣＣＤカメラの移動を検出することにより、静的物体中の相対的な座標情報を取得できる。なお、解答情報取得部１２０１の別の手段として、以下のものが考えられる。媒体の表面に、座標情報を示すバーコードが印刷されており、解答情報取得部１２０１は、当該バーコードを読み込み、座標情報を得るバーコードリーダーで実現される。解答情報取得部１２０１は、通常、ＭＰＵやメモリ等から実現され得る。解答情報取得部１２０１の処理手順は、通常、ソフトウェアで実現され、当該ソフトウェアはＲＯＭ等の記録媒体に記録されている。但し、ハードウェア（専用回路）で実現しても良い。
【００４７】
解答情報送信部１２０２は、解答情報取得部１２０１が取得した解答情報を情報処理装置１１に送信する。解答情報送信部１２０２は、通常、無線または有線の通信手段で実現されるが、放送手段で実現されても良い。なお、上記の電子ペン１２は、いわゆるアノトペンであり、媒体は、いわゆるアノトペーパーである。
【００４８】
次に、情報処理システムの動作について説明する。まず、情報処理装置１１の動作について図４のフローチャートを用いて説明する。
【００４９】
（ステップＳ４０１）指示受付部１１００は、開始指示を受け付けたか否かを判断する。開始指示を受け付ければステップＳ４０２に行き、開始指示を受け付けなければステップＳ４０１に戻る。
【００５０】
（ステップＳ４０２）問題情報出力部１１０２は、カウンタｉに１を代入する。
【００５１】
（ステップＳ４０３）問題情報出力部１１０２は、ｉ番目の問題情報が、テスト情報格納部１１０１に格納されているか否かを判断する。ｉ番目の問題情報が格納されていればステップＳ４０４に行き、格納されていなければステップＳ４１４に行く。
【００５２】
（ステップＳ４０４）問題情報出力部１１０２は、ｉ番目の問題情報をテスト情報格納部１１０１から読み出し、メモリ上に配置する。
【００５３】
（ステップＳ４０５）問題情報出力部１１０２は、ステップＳ４０４で取得した問題情報を出力する。なお、問題情報出力部１１０２は、ｉ番目の問題情報を用いて、出力する問題を構成した後、問題を出力しても良い。かかる場合も、問題情報を出力する、ということとする。
【００５４】
（ステップＳ４０６）正解情報出力部１１０５は、ｉ番目の正解情報を出力する時刻であるか否かを判断する。ｉ番目の正解情報を出力する時刻であればステップＳ４０７に行き、ｉ番目の正解情報を出力する時刻でなければステップＳ４１１に行く。なお、ｉ番目の正解情報を出力する時刻であるか否かは、例えば、問題情報の出力から所定時間経過したか否かにより、正解情報出力部１１０５は判断する。また、ｉ番目の正解情報を出力する時刻であるか否かは、例えば、ｉ番目の問題の解答時間（予め保持している）が、問題情報の出力から経過したか否かにより、正解情報出力部１１０５は判断する。また、正解情報出力部１１０５は、ユーザからの指示（正解情報の出力指示）を受け付けた場合に、ｉ番目の正解情報を出力する時刻に達した（ｉ番目の正解情報を出力する）、と判断しても良い。
【００５５】
（ステップＳ４０７）正解情報出力部１１０５は、ｉ番目の正解情報を、テスト情報格納部１１０１から読み出し、出力する。
【００５６】
（ステップＳ４０８）正解情報出力部１１０５は、ｉ番目の正解出力時刻情報を取得する。正解情報出力部１１０５は、例えば、図示しない時計から、現在時刻を取得し、正解出力時刻情報とする。
【００５７】
（ステップＳ４０９）正解情報出力部１１０５は、ステップＳ４０８で取得した正解出力時刻情報を、カウンタｉ（または、ｉ番目の問題情報や、正解情報や、解答情報など）と対応付けて、記憶媒体に少なくとも一時的に蓄積する。
【００５８】
（ステップＳ４１０）問題情報出力部１１０２は、カウンタｉを１、インクリメントする。ステップＳ４０３に戻る。
【００５９】
（ステップＳ４１１）解答情報受信部１１０３は、解答情報を電子ペン１２から受信したか否かを判断する。解答情報を受信すればステップＳ４１２に行き、受信しなければステップＳ４０６に戻る。
【００６０】
（ステップＳ４１２）解答時刻情報取得部１１０４は、ｉ番目の解答に対する解答時刻情報を取得する。解答時刻情報取得部１１０４は、例えば、図示しない時計から現在時刻を取得する。また、解答時刻情報取得部１１０４は、例えば、電子ペン１２から受信した解答時刻情報を取得する。かかる場合、電子ペン１２は、解答情報と対に時刻情報を送付する。その時刻情報は、例えば、電子ペンが軌跡の情報を取得した時刻を示す情報や、解答情報を送信する時刻を示す情報などである。
【００６１】
（ステップＳ４１３）正誤判断部１１０８は、ステップＳ４１１で受信されたｉ番目の解答情報と、ステップＳ４１２で取得されたｉ番目の解答時刻情報を対応付けて、少なくとも一時的に記憶媒体に蓄積する。ステップＳ４０６に戻る。
【００６２】
（ステップＳ４１４）正誤判断部１１０８は、正誤判断処理を行う。正誤判断処理について、図５のフローチャートを用いて詳細に説明する。
【００６３】
（ステップＳ４１５）正誤判断結果出力部１１０９は、ステップＳ４１４における、問題ごとの正誤の判断結果を出力する。処理を終了する。
【００６４】
なお、図４のフローチャートにおいて、正解情報を出力することは必須ではない。
【００６５】
また、図４のフローチャートにおいて、正解情報の出力後、直ちに、問題ごとに正誤判断を行っても良い。
【００６６】
また、図４のフローチャートにおいて、２以上の問題群に対する解答制限時間の情報が保持されており、かかる解答制限時間の情報を用いて、２以上の問題群（テストの一部の問題群）が、制限時間内に解答されたか否かを判断しても良い。
【００６７】
また、図４のフローチャートにおいて、正誤判断結果出力部１１０９は、正誤の判断結果を蓄積するだけでも良い。
【００６８】
また、図４のフローチャートにおいて、解答情報の受信などの処理（ステップＳ４１１からステップＳ４１３の処理）は、割り込みにより行われることは好適である。
【００６９】
さらに、図４のフローチャートにおいて、正誤判断結果出力部１１０９は、正誤の判断結果から統計処理し、点数を算出したり、正解、または各種の間違え方などの割合を出力するなどしても良い。かかる場合、テストの利用者が複数、存在しても良い。
【００７０】
次に、正誤判断処理について、図５のフローチャートを用いて詳細に説明する。
【００７１】
（ステップＳ５０１）正誤判断部１１０８は、カウンタｉに１を代入する。
【００７２】
（ステップＳ５０２）正誤判断部１１０８は、ｉ番目の問題情報が、テスト情報格納部１１０１に格納されているか否かを判断する。ｉ番目の問題情報が格納されていればステップＳ５０３に行き、上位処理にリターンする。
【００７３】
（ステップＳ５０３）正誤判断部１１０８は、ｉ番目の問題に対応する解答情報が格納されているか否か（ｉ番目の問題に対する解答が記載されたか否か）を判断する。格納されていればステップＳ５０４に行き、格納されていなければステップＳ５１２に行く。
【００７４】
（ステップＳ５０４）正誤判断部１１０８は、ｉ番目の問題（解答でも同じこと）に対する解答時刻と正解出力時刻を比較し、解答時刻が正解出力時刻より前（同じも含んでも良い）か否かを判断する。解答時刻が正解出力時刻より前であればステップＳ５０５に行き、解答時刻が正解出力時刻より後であればステップＳ５０９に行く。
【００７５】
（ステップＳ５０５）正誤判断部１１０８は、ｉ番目の問題（解答でも同じこと）に対する解答情報と正解情報を比較し、両者が合致（一致とは限らない。正解の範囲であれば合致、とする）するか否かを判断する。両者が合致すればステップＳ５０６に行き、両者が合致しなければステップＳ５０８に行く。
【００７６】
（ステップＳ５０６）正誤判断部１１０８は、ｉ番目の問題の正誤判定結果を「正解」とする。つまり、例えば、正誤判定結果を格納する変数に、「正解」を示す値（例えば、「０」）が代入される。
【００７７】
（ステップＳ５０７）正誤判断部１１０８は、カウンタｉを１、インクリメントする。ステップＳ５０２に行く。
【００７８】
（ステップＳ５０８）正誤判断部１１０８は、正誤判断部１１０８は、ｉ番目の問題の正誤判定結果を「誤答（「不正解」も同じ）」とする。ステップＳ５０２に行く。
【００７９】
（ステップＳ５０９）正誤判断部１１０８は、ｉ番目の問題（解答でも同じこと）に対する解答情報と正解情報を比較し、両者が合致（一致とは限らない。正解の範囲であれば合致、とする）するか否かを判断する。両者が合致すればステップＳ５１０に行き、両者が合致しなければステップＳ５１１に行く。
【００８０】
（ステップＳ５１０）正誤判断部１１０８は、正誤判断部１１０８は、ｉ番目の問題の正誤判定結果を「時間外解答，正解」とする。なお、ここでは、正誤判定結果が２つの意味を有しているが、最終的な出力において、両方出力しても良いし、一方を出力しても良い。なお、「時間外解答」については、出力されることは好適である。ステップＳ５０２に行く。
【００８１】
（ステップＳ５１１）正誤判断部１１０８は、正誤判断部１１０８は、ｉ番目の問題の正誤判定結果を「時間外解答，誤答」とする。なお、ここでも、正誤判定結果が２つの意味を有しているが、最終的な出力において、両方出力しても良いし、一方を出力しても良い。なお、「時間外解答」については、出力されることは好適である。ステップＳ５０２に行く。
【００８２】
（ステップＳ５１２）正誤判断部１１０８は、正誤判断部１１０８は、ｉ番目の問題の正誤判定結果を「無答」とする。ステップＳ５０２に行く。
【００８３】
以下、本実施の形態における情報処理システムの具体的な動作について説明する。情報処理システムの概念図は図１である。
【００８４】
今、テスト情報格納部１１０１に、図６に示すテスト情報管理表が格納されている。テスト情報管理表は、「ＩＤ」「問題情報」「正解情報」を有する。「ＩＤ」は、レコードを識別する情報であり、表におけるレコード管理のために存在する。ここでのテスト情報は、漢字の読み方のテストである。
【００８５】
また、正誤判断部１１０８は、解答制限時間「１０秒」を保持している。解答制限時間とは、各問題情報が表示されてから１０秒以内に解答を記載しなければ、正解にならないことを示す。
【００８６】
さらに、学習者は、図７に示す媒体に、電子ペン１２で解答を記載していく。その際、ここでは、情報処理装置１１に、１０秒ごとに、問題情報が出力される、とする。
【００８７】
かかる状況において、学習者は、情報処理装置１１に対して、開始指示を入力したとする。次に、指示受付部１１００は、開始指示を受け付ける。なお、開始指示の入力は、図７に示す「解答開始」の領域を、電子ペン１２でチェックすることにより、行われても良い。
【００８８】
次に、問題情報出力部１１０２は、１番目の問題情報「［肩］にのる」を読み出す。そして、問題情報出力部１１０２は、予め格納している問題の雛形「＜問題情報＞の[  ]内の読みを書きなさい。」を読み出し、問題情報「肩」を雛形の＜問題情報＞内に代入する。そして、問題情報出力部１１０２は、「［肩］にのるの[  ]内の読みを書きなさい。」を構成し、出力する。出力例は、図８である。なお、図８において、情報処理装置１１は、時計を保持しており、図示しない出力部が残り時間「２秒」を表示している。
【００８９】
次に、ユーザは、電子ペン１２を使用して、媒体の問題１の解答欄に「かた」と記載する。そして、電子ペン１２の解答情報取得部１２０１は、解答用紙である媒体に記載された解答情報「かた」を取得する。ここで、通常、解答情報は、座標情報の集合である。
【００９０】
次に、解答情報送信部１２０２は、解答情報取得部１２０１が取得した解答情報「かた」を情報処理装置１１に送信する。なお、解答情報を送信するトリガーは、例えば、媒体上の「次の問題へ」欄を、ユーザが電子ペン１２でチェックする、などである。かかる「次の問題へ」欄のチェックにより、解答が「かた」で決定される。また、「次の問題へ」欄は、一の解答欄ごとに付与されても良いし、媒体上に一つだけ存在しても良い。なお、「次の問題へ」欄は、他の名称でも良いことは言うまでもない。
【００９１】
次に、解答情報受信部１１０３は、解答情報「かた」を電子ペン１２から受信する。そして、正誤判断部１１０８は、解答情報「かた」を問題情報等に対応付けて蓄積する。かかる蓄積された解答情報の例を、図９に示す。図９は、テスト情報管理表に解答情報が付加された、解答情報管理表である。ここでは、図９の「ＩＤ＝１」の解答情報が記録される。なお、本具体例の場合、通常、解答情報である座標情報の集合は、情報処理装置１１または電子ペン１２が文字コードに変換する。かかる変換技術は、公知技術であるので、詳細な説明を省略する。
【００９２】
そして、解答時刻情報取得部１１０４は、１番目の解答「かた」に対する解答時刻情報（例えば、2007/6/12 13:55:08）を、図示しない情報処理装置１１の内部の時計から取得する。
【００９３】
次に、正誤判断部１１０８は、受信された１番目の解答情報「かた」と、取得された１番目の解答時刻情報（例えば、2007/6/12 13:55:08）を対応付けて、少なくとも一時的に記憶媒体に蓄積する。かかる解答時刻情報の蓄積先は、図１０の時刻情報管理表である。時刻情報管理表は、「ＩＤ」「正解出力時刻情報」「解答時刻情報」を属性値に有するレコードを1以上格納している。１番目の解答時刻情報は、「ＩＤ＝１」のレコードの「解答時刻情報」の属性値となる。
【００９４】
次に、正解情報出力部１１０５は、１番目の正解情報を出力する時刻であるか否かを判断する。ここでは、正解情報出力部１１０５は、予め格納されている「１０秒」が、問題情報の出力から経過したか否かを判断する。そして、正解情報出力部１１０５は、問題情報の出力から「１０秒」経過した後、１番目の正解情報を出力する。なお、ここでの正解情報の出力は必須ではない。
【００９５】
次に、正解情報出力部１１０５は、１番目の正解出力時刻情報（例えば、2007/6/12 13:55:10）を取得する。
【００９６】
次に、問題情報出力部１１０２は、取得した正解出力時刻情報（例えば、2007/6/12 13:55:10）を、カウンタ「ｉ＝１」と対応付けて、記憶媒体に少なくとも一時的に蓄積する。かかる正解出力時刻情報の蓄積先も、図１０の時刻情報管理表である。
【００９７】
以上の処理を繰り返して、２０問の問題情報の出力、正解情報の出力が完了し、学習者も、次々と、問題に対する解答情報を、電子ペン１２で媒体に記載していった、とする(図１１参照)。そして、図９の解答情報管理表、図１０の時刻情報管理表の各属性値が蓄積される。
【００９８】
次に、正誤判断部１１０８は、以下のような正誤判断処理を行う。まず、正誤判断部１１０８は、１番目の問題に対する解答時刻情報（2007/6/12 13:55:08）と正解出力時刻情報（2007/6/12 13:55:10）を読み出し、比較する。そして、「解答時刻情報＜正解出力時刻情報」であるので、解答時刻が正解出力時刻より前である、と判断する。
【００９９】
次に、正誤判断部１１０８は、１番目の問題に対する解答情報「かた」と正解情報「かた」を読み出し、比較し、両者が合致する、と判断する。その結果、正誤判断部１１０８は、１番目の問題の正誤判定結果を「正解」とし、記録する。正誤判断部１１０８は、かかる正誤判定結果を、図１２に示す正誤判定結果管理表に記録する。
【０１００】
そして、図５のフローチャートに従って、正誤判断部１１０８は、２問目以降の解答情報を処理し、図１２に示す正誤判定結果管理表を得る。
【０１０１】
そして、正誤判断結果出力部１１０９は、問題ごとの正誤の判断結果を集計した情報を、図１３に示すように出力する。なお、図１３は、出力例であり、他の出力態様でも構わないことは言うまでもない。例えば、問題ごとに、学習者が記載した解答と、正解と、正誤の判断結果を対応付けて出力しても良い。
【０１０２】
以上、本実施の形態によれば、正確な学力判定または、正確な採点等が可能となる。また、学習者の弱点を把握できる。
【０１０３】
具体的には、解答が、「正解」か、「誤答」か、「無答」か、「時間外解答」かの少なくとも４つのカテゴリーで、自動的に解答を分類することにより、学習者のタイプ、学習者の理解度、学習状況、または課題などを、容易に取得できる。その結果、学習者に対して、タイプや理解度等に応じた適切な学習指導が可能となる。
【０１０４】
さらに具体的には、「無答」が多い学習者は、例えば、問題が学習者に合っていない、またはねばりが十分でないと考えられ、学習者に合致した問題や学習プログラムを用意するなどの対応が可能となる。また、「時間外解答」が多い学習者は、例えば、じっくり考えて問題を解くタイプであると考えられ、国語であれば速読の練習を行わせ、算数であればスピードを向上させるための簡単な問題（計算問題など）を大量に解かせるプログラムを用意する、などの対応を採ることができる。かかることは、他の実施の形態においても同様である。
【０１０５】
また、本実施の形態において、問題情報の出力、正解情報の出力が自動的に、次々と行われる学習形式により、学習者の学習効果を高めつつ、学習者の解答に対する精緻な採点、評価が可能となる。
【０１０６】
なお、本実施の形態によれば、時刻判断部１１０７は、問題ごとに、解答時刻情報取得部１１０４が取得した解答時刻情報と、正解出力時刻情報取得部１１０６が取得した正解出力時刻情報を比較し、解答時刻と正解出力時刻の前後を判断した。しかし、時刻判断部１１０７は、解答時刻情報取得部１１０４が取得した解答時刻情報と、各問題の解答制限時間情報を用いて、各問題の解答が制限時間内の解答であるか否かを判断しても良い。かかる場合の情報処理装置１１の構成は、問題を示す情報である問題情報と、当該問題に対応する正解を示す情報である正解情報を有するテスト情報を２以上格納しているテスト情報格納部１１０１と、前記２以上の問題情報を順次、出力する問題情報出力部１１０２と、各問題に対する解答を示す情報である解答情報を、前記電子ペンから受信する解答情報受信部１１０３と、前記解答情報に対応する解答が、解答用紙に記載された時刻に関する情報である解答時刻情報を取得する解答時刻情報取得部１１０４と、前記２以上の正解情報を出力する正解情報出力部１１０５と、前記解答時刻情報取得部が取得した解答時刻情報と、各問題の解答制限時間情報を用いて、各問題の解答が制限時間内の解答であるか否かを判断する時刻判断部１１０７と、解答が制限時間内の解答であると前記時刻判断部１１０７が判断し、かつ当該解答に対応する解答情報と正解情報が合致する場合に、当該解答が正解であると判断し、解答が制限時間外の解答であると前記時刻判断部１１０７が判断した場合に、常に、当該解答が誤答であると判断し、前記解答情報と前記正解情報が合致しない場合に、当該解答が誤答であると判断する正誤判断部１１０８と、前記正誤判断部１１０８における、問題ごとの正誤の判断結果を出力する正誤判断結果出力部１１０９を具備する情報処理装置、である。
【０１０７】
また、本実施の形態によれば、正解情報の出力は、必須ではない。かかることは、他の実施の形態においても同様である。
【０１０８】
また、本実施の形態によれば、１問ずつの制限時間が存在した。しかし、２問以上の問題群に対して、制限時間が存在していても良い。つまり、例えば、時刻判断部１１０７は、図１４に示す解答制限時間情報管理表を保持している。解答制限時間情報管理表は、「ＩＤ」「問題情報」「正解情報」「解答制限時間情報」の属性値を有するレコードを１以上、格納している。「解答制限時間情報」は、１以上の問題に対する制限時間の情報である。また、図１４の１問目から５問目は英単語の問題、６問目から８問目はイディオムの問題、９問目と１０問目は英文訳の問題である。そして、時刻判断部１１０７は、この解答制限時間情報を用いて、解答時刻情報取得部１１０４が取得した解答時刻情報と、1以上のまとまりのある問題ごとの解答制限時刻（ここでは、解答制限時間情報）を用いて、1以上の問題の解答が制限時間内の解答であるか否かを判断する。したがって、学習者は、問題のカテゴリーごとの強い／弱い、解答スピードの速い／遅いが分かり、学習効果を高めることができる。かかることも、他の実施の形態においても同様である。
【０１０９】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における情報処理装置を実現するソフトウェアは、以下のようなプログラムである。つまり、このプログラムは、コンピュータを、２以上の問題情報を順次、出力する問題情報出力部と、各問題に対する解答を示す情報である解答情報を、電子ペンから受信する解答情報受信部と、解答情報に対応する解答が、解答用紙に記載された時刻に関する情報である解答時刻情報を取得する解答時刻情報取得部と、２以上の正解情報を順次、出力する正解情報出力部と、前記各正解情報を出力した時刻に関する情報である正解出力時刻情報を取得する正解出力時刻情報取得部と、1以上のまとまりのある問題ごとに、前記解答時刻情報取得部が取得した解答時刻情報と、前記正解出力時刻情報取得部が取得した正解出力時刻情報を用いて、解答時刻と正解出力時刻の前後を判断する時刻判断部と、解答時刻が正解出力時刻より前であると前記時刻判断部が判断し、かつ前記解答情報と前記正解情報が合致する場合に、当該解答が正解であると判断し、解答時刻が正解出力時刻より後であると前記時刻判断部が判断した場合に、常に、当該解答が誤答であると判断し、前記解答情報と前記正解情報が合致しない場合に、当該解答が誤答であると判断する正誤判断部と、前記正誤判断部における、問題ごとの正誤の判断結果を出力する正誤判断結果出力部として機能させるためのプログラム、である。
【０１１０】
また、コンピュータを、２以上の問題情報を順次、出力する問題情報出力部と、各問題に対する解答を示す情報である解答情報を、電子ペンから受信する解答情報受信部と、前記解答情報に対応する解答が、解答用紙に記載された時刻に関する情報である解答時刻情報を取得する解答時刻情報取得部と、解答時刻情報取得部が取得した解答時刻情報と、1以上のまとまりのある問題ごとの解答制限時間情報を用いて、前記1以上の問題の解答が制限時間内の解答であるか否かを判断する時刻判断部と、解答が制限時間内の解答であると前記時刻判断部が判断し、かつ当該解答に対応する解答情報と正解情報が合致する場合に、当該解答が正解であると判断し、解答が制限時間外の解答であると前記時刻判断部が判断した場合に、常に、当該解答が誤答であると判断し、前記解答情報と前記正解情報が合致しない場合に、当該解答が誤答であると判断する正誤判断部と、前記正誤判断部における、問題ごと、または1以上のまとまりのある問題ごとの正誤の判断結果を出力する正誤判断結果出力部として機能させるためのプログラム、である。
（実施の形態２）
【０１１１】
本実施の形態において、実施の形態１と比較して、情報処理システムがサーバ装置を具備する点が異なる。つまり、実施の形態１における情報処理装置１１の処理を、本実施の形態におけるサーバ装置と情報処理装置が行う。
【０１１２】
図１５は、本実施の形態における情報処理システムの概念図である。図１６は、本実施の形態における情報処理システムのブロック図である。情報処理システム２は、サーバ装置２１、情報処理装置２２、および電子ペン１２を具備する。
【０１１３】
サーバ装置２１は、指示受信部２１００、テスト情報格納部１１０１、問題情報送信部２１０１、解答情報受信部２１０２、解答時刻情報取得部１１０４、正解情報送信部２１０３、正解出力時刻情報取得部１１０６、時刻判断部１１０７、正誤判断部１１０８、正誤判断結果出力部２１０４を具備する。
【０１１４】
情報処理装置２２は、指示受付部１１００、指示送信部２２００、問題情報出力部２２０１、解答情報転送部２２０２、正解情報出力部２２０３を具備する。
【０１１５】
電子ペン１２は、解答情報取得部１２０１、解答情報送信部１２０２を具備する。
【０１１６】
指示受信部２１００は、情報処理装置２２から各種指示を受信する。指示とは、例えば、開始指示である。指示受信部２１００は、通常、無線または有線の通信手段で実現されるが、放送手段で実現されても良い。
【０１１７】
問題情報送信部２１０１は、２以上の問題情報を情報処理装置２２に送信する。問題情報を送信するタイミングは問わない。例えば、問題情報送信部２１０１は、指示受信部２１００が開始指示を受信した場合、問題情報を順次、定期的（例えば、1分ごと）に送信する。なお、問題情報を順次、送信する場合に、定期的に送信する必要はない。問題情報送信部２１０１は、通常、無線または有線の通信手段で実現されるが、放送手段で実現されても良い。
【０１１８】
解答情報受信部２１０２は、各問題に対する解答を示す情報である解答情報を、情報処理装置２２から受信する。解答情報受信部２１０２は、通常、無線または有線の通信手段で実現されるが、放送を受信する手段で実現されても良い。
【０１１９】
正解情報送信部２１０３は、２以上の正解情報を情報処理装置２２に送信する。正解情報を送信するタイミングは問わない。例えば、正解情報送信部２１０３は、問題情報の送信後、所定時間後に、順次、定期的（例えば、1分ごと）に、正解情報を送信する。なお、正解情報を順次、送信する場合に、定期的に送信する必要はない。また、正解情報を送信することは必須ではない。正解情報送信部２１０３は、通常、無線または有線の通信手段で実現されるが、放送手段で実現されても良い。
【０１２０】
正誤判断結果送信部２１０４は、正誤判断部１１０８における、問題ごとの正誤の判断結果を、情報処理装置２２に送信する。なお、正誤の判断結果の送信処理も必須ではない。正誤判断結果送信部２１０４は、通常、無線または有線の通信手段で実現されるが、放送手段で実現されても良い。
【０１２１】
指示送信部２２００は、指示受付部１１００が受け付けた開始指示等を、サーバ装置２１に送信する。指示送信部２２００は、通常、無線または有線の通信手段で実現されるが、放送手段で実現されても良い。
【０１２２】
問題情報出力部２２０１は、２以上の問題情報をサーバ装置２１から受信し、順次、出力する。問題情報出力部２２０１は、２以上の問題情報を一括して受信した後、順次、１問ずつ、問題情報を出力しても良い。問題情報出力部２２０１は、２問目以降の問題情報の少なくとも1以上の問題情報を、ユーザの指示を受け付けずに自動的に出力することは好適である。また、問題情報出力部２２０１は、ユーザの指示（問題情報の出力指示）を受け付けた後、対応する問題情報を出力しても良い。ここで、出力とは、ディスプレイへの表示、プリンタへの印字、音出力、外部の装置への送信等を含む概念である。問題情報出力部２２０１は、ディスプレイやスピーカー等の出力デバイスを含むと考えても含まないと考えても良い。問題情報出力部２２０１は、出力デバイスのドライバーソフトまたは、出力デバイスのドライバーソフトと出力デバイス等で実現され得る。
【０１２３】
解答情報転送部２２０２は、各問題に対する解答情報を、電子ペン１２から受信し、情報処理装置２２に送信する。解答情報転送部２２０２は、通常、無線または有線の通信手段等で実現され得る。
【０１２４】
正解情報出力部２２０３は、２以上の正解情報をサーバ装置２１から受信し、順次、出力する。正解情報出力部２２０３は、２以上の正解情報を、一括して受信した後、順次、１つずつ、正解情報を出力しても良い。つまり、正解情報出力部２２０３は、各問題情報の出力の後、所定時間（一定とは限らない）経過後、問題に対応する正解情報を出力しても良い。また、正解情報出力部２２０３は、ユーザに指示の受け付けに対応して、正解情報を出力しても良い。さらに、正解情報出力部２２０３は、２問目以降の問題に対応する正解情報の少なくとも1以上の正解情報を、ユーザの指示を受け付けずに自動的に出力することは好適である。ここで、出力とは、ディスプレイへの表示、プリンタへの印字、音出力、外部の装置への送信等を含む概念である。正解情報出力部２２０３は、ディスプレイやスピーカー等の出力デバイスを含むと考えても含まないと考えても良い。正解情報出力部２２０３は、出力デバイスのドライバーソフトまたは、出力デバイスのドライバーソフトと出力デバイス等で実現され得る。
【０１２５】
次に、情報処理システムの動作について説明する。まず、サーバ装置２１の動作について図１７のフローチャートを用いて説明する。
【０１２６】
（ステップＳ１７０１）指示受信部２１００は、開始指示を受信したか否かを判断する。開始指示を受信すればステップＳ１７０２に行き、開始指示を受信しなければステップＳ１７０１に戻る。
【０１２７】
（ステップＳ１７０２）問題情報送信部２１０１は、カウンタｉに１を代入する。
【０１２８】
（ステップＳ１７０３）問題情報送信部２１０１は、ｉ番目の問題情報が、テスト情報格納部１１０１に格納されているか否かを判断する。ｉ番目の問題情報が格納されていればステップＳ１７０４に行き、格納されていなければステップＳ１７１４に行く。
【０１２９】
（ステップＳ１７０４）問題情報送信部２１０１は、ｉ番目の問題情報をテスト情報格納部１１０１から読み出し、メモリ上に配置する。
【０１３０】
（ステップＳ１７０５）問題情報送信部２１０１は、ステップＳ１７０４で取得した問題情報を、情報処理装置２２に送信する。なお、問題情報送信部２１０１は、ｉ番目の問題情報を用いて、出力する問題を構成した後、問題を出力しても良い。かかる場合も、問題情報を出力する、ということとする。
【０１３１】
（ステップＳ１７０６）正解情報送信部２１０３は、ｉ番目の正解情報を送信する時刻であるか否かを判断する。ｉ番目の正解情報を送信する時刻であればステップＳ１７０７に行き、ｉ番目の正解情報を送信する時刻でなければステップＳ１７１１に行く。なお、ｉ番目の正解情報を送信する時刻であるか否かは、例えば、問題情報の送信から所定時間経過したか否かにより、正解情報送信部２１０３は判断する。また、ｉ番目の正解情報を送信する時刻であるか否かは、例えば、ｉ番目の問題の解答時間（予め保持している）が、問題情報の送信から経過したか否かにより、正解情報送信部２１０３は判断する。また、正解情報送信部２１０３は、ユーザからの指示（正解情報の出力指示）が受信された場合に、ｉ番目の正解情報を送信する時刻に達した（ｉ番目の正解情報を送信する）、と判断しても良い。なお、正解情報の出力指示の受信は、図示しない受信手段により行われる。
【０１３２】
（ステップＳ１７０７）正解情報送信部２１０３は、ｉ番目の正解情報を、テスト情報格納部１１０１から読み出し、送信する。
【０１３３】
（ステップＳ１７０８）正解情報送信部２１０３は、ｉ番目の正解出力時刻情報を取得する。正解情報送信部２１０３は、例えば、図示しない時計から、現在時刻を取得し、正解出力時刻情報とする。
【０１３４】
（ステップＳ１７０９）正解情報送信部２１０３は、ステップＳ１７０８で取得した正解出力時刻情報を、カウンタｉ（または、ｉ番目の問題情報や、正解情報や、解答情報など）と対応付けて、記憶媒体に少なくとも一時的に蓄積する。
【０１３５】
（ステップＳ１７１０）問題情報送信部２１０１は、カウンタｉを１、インクリメントする。ステップＳ１７０３に戻る。
【０１３６】
（ステップＳ１７１１）解答情報受信部２１０２は、解答情報を情報処理装置２２から受信したか否かを判断する。解答情報を受信すればステップＳ１７１２に行き、受信しなければステップＳ１７０６に戻る。
【０１３７】
（ステップＳ１７１２）解答時刻情報取得部１１０４は、ｉ番目の解答に対する解答時刻情報を取得する。解答時刻情報取得部１１０４は、例えば、図示しない時計から現在時刻を取得する。また、解答時刻情報取得部１１０４は、例えば、情報処理装置２２から受信した解答時刻情報を取得する。かかる場合、情報処理装置２２は、解答情報と対に時刻情報を送付する。その時刻情報は、例えば、情報処理装置２２が電子ペン１２から解答情報を受信した時刻を示す情報であったり、電子ペン１２が軌跡の情報を取得した時刻を示す情報であったり、電子ペン１２が解答情報を送信する時刻を示す情報であったりする。
【０１３８】
（ステップＳ１７１３）正誤判断部１１０８は、ステップＳ１７１１で受信されたｉ番目の解答情報と、ステップＳ１７１２で取得されたｉ番目の解答時刻情報を対応付けて、少なくとも一時的に記憶媒体に蓄積する。ステップＳ１７０６に戻る。
【０１３９】
（ステップＳ１７１４）正誤判断部１１０８は、正誤判断処理を行う。正誤判断処理について、図５のフローチャートを用いて説明した。
【０１４０】
（ステップＳ１７１５）正誤判断結果出力部１１０９は、ステップＳ１７１４における、問題ごとの正誤の判断結果を出力（送信、蓄積などの概念も含む）する。処理を終了する。
【０１４１】
なお、図１７のフローチャートにおいて、正解情報を送信することは必須ではない。
【０１４２】
また、図１７のフローチャートにおいて、正解情報の送信後、直ちに、各問題ごとに正誤判断を行っても良い。
【０１４３】
また、図１７のフローチャートにおいて、正誤判断結果出力部１１０９は、正誤の判断結果を蓄積するだけでも良い。
【０１４４】
また、図１７のフローチャートにおいて、正誤判断結果出力部１１０９は、正誤の判断結果から統計処理し、点数を算出したり、正解、または各種の間違え方などの割合を送信、または蓄積等するなどしても良い。かかる場合、テストの利用者が複数、存在しても良い。
【０１４５】
また、図１７のフローチャートにおいて、解答情報の受信などの処理（ステップＳ１７１１からステップＳ１７１３の処理）は、割り込みにより行われることは好適である。
【０１４６】
さらに、図１７のフローチャートにおいて、電源オフや処理終了の割り込みにより処理は終了する。
【０１４７】
次に、情報処理装置１１の動作について図１８のフローチャートを用いて説明する。
【０１４８】
（ステップＳ１８０１）指示受付部１１００は、開始指示を受け付けたか否かを判断する。開始指示を受け付ければステップＳ１８０２に行き、開始指示を受け付けなければステップＳ１８０１に戻る。
【０１４９】
（ステップＳ１８０２）指示送信部２２００は、ステップＳ１８０１で受け付けた開始指示を、サーバ装置２２に送信する。ステップＳ１８０１に戻る。
【０１５０】
（ステップＳ１８０３）問題情報出力部２２０１は、サーバ装置２２から問題情報を受信したか否かを判断する。問題情報を受信すればステップＳ１８０４に行き、問題情報を受信しなければステップＳ１８０５に行く。
【０１５１】
（ステップＳ１８０４）問題情報出力部２２０１は、ステップＳ１８０３で受信した問題情報を出力する。ステップＳ１８０１に戻る。
【０１５２】
（ステップＳ１８０５）解答情報転送部２２０２は、電子ペン１２から解答情報を受信したか否かを判断する。解答情報を受信すればステップＳ１８０６に行き、解答情報を受信しなければステップＳ１８０７に行く。
【０１５３】
（ステップＳ１８０６）解答情報転送部２２０２は、ステップＳ１８０５で受信した解答情報を、サーバ装置２２に送信する。ステップＳ１８０１に戻る。
【０１５４】
（ステップＳ１８０７）正解情報出力部２２０３は、サーバ装置２２から正解情報を受信したか否かを判断する。正解情報を受信すればステップＳ１８０８に行き、正解情報を受信しなければステップＳ１８０１に戻る。
【０１５５】
（ステップＳ１８０８）正解情報出力部２２０３は、ステップＳ１８０７で受信した正解情報を出力する。ステップＳ１８０１に戻る。
【０１５６】
なお、図１８のフローチャートにおいて、電源オフや処理終了の割り込みにより処理は終了する。
【０１５７】
以下、本実施の形態における情報処理システムの具体的な動作について説明する。情報処理システムの概念図は図１５である。
【０１５８】
今、テスト情報格納部１１０１に、図６に示すテスト情報管理表が格納されている。
【０１５９】
また、正誤判断部１１０８は、解答制限時間「１０秒」を保持している。解答制限時間とは、各問題情報が表示されてから１０秒以内に解答を記載しなければ、正解にならないことを示す。
【０１６０】
さらに、学習者は、図７に示す媒体に、電子ペン１２で解答を記載していく。その際、ここでは、情報処理装置２２に、１０秒ごとに、問題情報が出力される、とする。
【０１６１】
かかる状況において、学習者は、情報処理装置１１に対して、開始指示を入力したとする。次に、指示受付部１１００は、開始指示を受け付ける。そして、指示送信部２２００は、開始指示をサーバ装置２１に送信する。
【０１６２】
そして、サーバ装置２１の指示受信部２１００は、開始指示を受信する。次に、問題情報送信部２１０１は、１番目の問題情報「［肩］にのる」を、テスト情報格納部１１０１から読み出す。そして、問題情報送信部２１０１は、予め格納している問題の雛形「＜問題情報＞の[  ]内の読みを書きなさい。」を読み出し、問題情報「肩」を雛形の＜問題情報＞内に代入する。そして、問題情報送信部２１０１は、「［肩］にのるの[  ]内の読みを書きなさい。」を構成し、情報処理装置１１に送信する。なお、図面において「［肩］」の「［］」は、墨付き括弧になっている。
【０１６３】
次に、情報処理装置１１の問題情報出力部２２０１は、「［肩］にのるの[  ]内の読みを書きなさい。」を受信し、ディスプレイに出力する。
【０１６４】
次に、ユーザは、電子ペン１２を使用して、媒体の問題１の解答欄に「かた」と記載する。そして、電子ペン１２の解答情報取得部１２０１は、解答用紙である媒体に記載された解答情報「かた」を取得する。
【０１６５】
次に、解答情報送信部１２０２は、解答情報取得部１２０１が取得した解答情報「かた」を情報処理装置２２に送信する。なお、解答情報を送信するトリガーは、例えば、媒体上の図示しない「次の問題へ」欄を、ユーザが電子ペン１２でチェックする、などである。
【０１６６】
次に、情報処理装置２２の解答情報転送部２２０２は、解答情報「かた」を電子ペン１２から受信し、サーバ装置２１に送信する。
【０１６７】
次に、サーバ装置２１の解答情報受信部２１０２は、情報処理装置２２から解答情報「かた」を受信する。そして、正誤判断部１１０８は、解答情報「かた」を問題情報等に対応付けて蓄積する。かかる蓄積された解答情報の例は、図９である。
【０１６８】
そして、解答時刻情報取得部１１０４は、１番目の解答「かた」に対する解答時刻情報（例えば、2007/6/12 13:55:08）を、図示しないサーバ装置２１の内部の時計から取得する。この解答時刻情報は、ここでは、正確には、解答情報が受信された時刻となるが、解答が記載された時刻と近似する。
【０１６９】
次に、正誤判断部１１０８は、受信された１番目の解答情報「かた」と、取得された１番目の解答時刻情報（例えば、2007/6/12 13:55:08）を対応付けて、少なくとも一時的に記憶媒体に蓄積する。かかる解答時刻情報の蓄積先は、図１０の時刻情報管理表である。
【０１７０】
次に、正解情報送信部２１０３は、１番目の正解情報を送信する時刻であるか否かを判断する。ここでは、正解情報送信部２１０３は、予め格納されている「１０秒」が、問題情報の送信から経過したか否かを判断する。そして、正解情報送信部２１０３は、問題情報の送信から「１０秒」経過した後、１番目の正解情報を送信する。なお、ここでの正解情報の送信は必須ではない。
【０１７１】
次に、情報処理装置２２の正解情報出力部２２０３は、正解情報を受信し、出力する。
【０１７２】
次に、正解情報送信部２１０３は、１番目の正解出力時刻情報（例えば、2007/6/12 13:55:10）を取得する。
【０１７３】
次に、正解情報送信部２１０３は、取得した正解出力時刻情報（例えば、2007/6/12 13:55:10）を、カウンタ「ｉ＝１」と対応付けて、記憶媒体に少なくとも一時的に蓄積する。かかる正解出力時刻情報の蓄積先も、図１０の時刻情報管理表である。
【０１７４】
以上の処理を繰り返して、２０問の問題情報の出力、正解情報の出力が完了し、学習者も、次々と、問題に対する解答情報を、電子ペン１２で媒体に記載していった、とする(図１１参照)。そして、図９の解答情報管理表、図１０の時刻情報管理表の各属性値が蓄積される。
【０１７５】
次に、正誤判断部１１０８は、以下のような正誤判断処理を行う。まず、正誤判断部１１０８は、１番目の問題に対する解答時刻情報（2007/6/12 13:55:08）と正解出力時刻情報（2007/6/12 13:55:10）を読み出し、比較する。そして、「解答時刻情報＜正解出力時刻情報」であるので、解答時刻が正解出力時刻より前である、と判断する。
【０１７６】
次に、正誤判断部１１０８は、１番目の問題に対する解答情報「かた」と正解情報「かた」を読み出し、比較し、両者が合致する、と判断する。その結果、正誤判断部１１０８は、１番目の問題の正誤判定結果を「正解」とし、記録する。正誤判断部１１０８は、かかる正誤判定結果を、図１２に示す正誤判定結果管理表に記録する。
【０１７７】
そして、図５のフローチャートに従って、正誤判断部１１０８は、２問目以降の解答情報を処理し、図１２に示す正誤判定結果管理表を得る。
【０１７８】
そして、正誤判断結果出力部２１０４は、問題ごとの正誤の判断結果を集計した情報を、図１３に示すように出力する。なお、ここでは、出力は、記憶媒体への蓄積である、とする。ただし、正誤判断結果出力部２１０４は、図１３に示す正誤の判断結果を、情報処理装置２２に送信しても良い。かかる場合、情報処理装置２２の図示しない手段（例えば、正誤判断結果受信部）が正誤の判断結果を受信する。そして、情報処理装置２２の図示しない手段（例えば、出力部）が出力する。また、図１３は、出力例であり、他の出力態様でも構わないことは言うまでもない。例えば、問題ごとに、学習者が記載した解答と、正解と、正誤の判断結果を対応付けて出力しても良い。
【０１７９】
以上、本実施の形態によれば、正解が出力された後に解答を記載した場合に、正解でない、と自動的に判断でき、不正を無くし、また、正確な学力判定ができる。また、学習者の弱点を把握できる。
【０１８０】
具体的には、解答が、「正解」か、「誤答」か、「無答」か、「時間外解答」かの少なくとも４つのカテゴリーで、自動的に解答を分類することにより、学習者の理解度、学習状況、または課題などを、容易に取得できる。その結果、学習者に対して、学力向上のための適切な指導が可能となる。
【０１８１】
また、本実施の形態において、問題情報の出力、正解情報の出力が自動的に、次々と行われる学習形式により、学習者の学習効果を高めつつ、学習者の解答に対する精緻な採点、評価が可能となる。
【０１８２】
なお、本実施の形態によれば、時刻判断部１１０７は、問題ごとに、解答時刻情報取得部１１０４が取得した解答時刻情報と、正解出力時刻情報取得部１１０６が取得した正解出力時刻情報を比較し、解答時刻と正解出力時刻の前後を判断した。しかし、時刻判断部１１０７は、解答時刻情報取得部１１０４が取得した解答時刻情報と、各問題の解答制限時刻を用いて、各問題の解答が制限時間内の解答であるか否かを判断しても良い。かかる場合のサーバ装置２１の構成は、問題を示す情報である問題情報と、当該問題に対応する正解を示す情報である正解情報を有するテスト情報を２以上格納しているテスト情報格納部１１０１と、前記２以上の問題情報を前記情報処理装置に送信する問題情報送信部２１０１と、各問題に対する解答を示す情報である解答情報を、前記情報処理装置２２から受信する解答情報受信部２１０２と、前記解答情報に対応する解答が、解答用紙に記載された時刻に関する情報である解答時刻情報を取得する解答時刻情報取得部１１０４と、前記２以上の正解情報を前記情報処理装置に送信する正解情報送信部２１０３と、前記各正解情報を前記情報処理装置に出力した時刻に関する情報である正解出力時刻情報を取得する正解出力時刻情報取得部１１０６と、前記解答時刻情報取得部が取得した解答時刻情報と、1以上のまとまりのある問題ごとの解答制限時刻を用いて、前記1以上の問題の解答が制限時間内の解答であるか否かを判断する時刻判断部１１０７と、解答が制限時間内の解答であると前記時刻判断部が判断し、かつ当該解答に対応する解答情報と正解情報が合致する場合に、当該解答が正解であると判断し、解答が制限時間外の解答であると前記時刻判断部が判断した場合に、常に、当該解答が誤答であると判断し、前記解答情報と前記正解情報が合致しない場合に、当該解答が誤答であると判断する正誤判断部１１０８と、前記正誤判断部における、問題ごとの正誤の判断結果を送信する正誤判断結果送信部２１０４を具備する。
【０１８３】
さらに、本実施の形態におけるサーバ装置を実現するソフトウェアは、以下のようなプログラムである。つまり、このプログラムは、コンピュータを、２以上の問題情報を情報処理装置に送信する問題情報送信部と、各問題に対する解答を示す情報である解答情報を、前記情報処理装置から受信する解答情報受信部と、前記解答情報に対応する解答が、解答用紙に記載された時刻に関する情報である解答時刻情報を取得する解答時刻情報取得部と、前記２以上の正解情報を前記情報処理装置に送信する正解情報送信部と、前記各正解情報を前記情報処理装置に出力した時刻に関する情報である正解出力時刻情報を取得する正解出力時刻情報取得部と、1以上のまとまりのある問題ごとに、前記解答時刻情報取得部が取得した解答時刻情報と、前記正解出力時刻情報取得部が取得した正解出力時刻情報を用いて、解答時刻と正解出力時刻の前後を判断する時刻判断部と、解答時刻が正解出力時刻より前であると前記時刻判断部が判断し、かつ前記解答情報と前記正解情報が合致する場合に、当該解答が正解であると判断し、解答時刻が正解出力時刻より後であると前記時刻判断部が判断した場合に、常に、当該解答が誤答であると判断し、前記解答情報と前記正解情報が合致しない場合に、当該解答が誤答であると判断する正誤判断部と、前記正誤判断部における、問題ごとの正誤の判断結果を出力する正誤判断結果出力部として機能させるためのプログラム、である。
【０１８４】
また、このプログラムは、コンピュータを、２以上の問題情報を情報処理装置に送信する問題情報送信部と、各問題に対する解答を示す情報である解答情報を、前記情報処理装置から受信する解答情報受信部と、前記解答情報に対応する解答が、解答用紙に記載された時刻に関する情報である解答時刻情報を取得する解答時刻情報取得部と、前記解答時刻情報取得部が取得した解答時刻情報と、1以上のまとまりのある問題ごとの解答制限時間情報を用いて、前記1以上の問題の解答が制限時間内の解答であるか否かを判断する時刻判断部と、解答が制限時間内の解答であると前記時刻判断部が判断し、かつ当該解答に対応する解答情報と正解情報が合致する場合に、当該解答が正解であると判断し、解答が制限時間外の解答であると前記時刻判断部が判断した場合に、常に、当該解答が誤答であると判断し、前記解答情報と前記正解情報が合致しない場合に、当該解答が誤答であると判断する正誤判断部と、前記正誤判断部における、問題ごとの正誤の判断結果を出力する正誤判断結果出力部として機能させるためのプログラム、である。
【０１８５】
また、図１９は、本明細書で述べたプログラムを実行して、上述した種々の実施の形態のサーバ装置や情報処理装置を実現するコンピュータの外観を示す。上述の実施の形態は、コンピュータハードウェア及びその上で実行されるコンピュータプログラムで実現され得る。図１９は、このコンピュータシステム３４０の概観図であり、図２０は、コンピュータシステム３４０のブロック図である。
【０１８６】
図１９において、コンピュータシステム３４０は、ＦＤ（Ｆｌｅｘｉｂｌｅ  Ｄｉｓｋ）ドライブ、ＣＤ−ＲＯＭ（Ｃｏｍｐａｃｔ  Ｄｉｓｋ  Ｒｅａｄ  Ｏｎｌｙ  Ｍｅｍｏｒｙ）ドライブを含むコンピュータ３４１と、キーボード３４２と、マウス３４３と、モニタ３４４とを含む。
【０１８７】
図２０において、コンピュータ３４１は、ＦＤドライブ３４１１、ＣＤ−ＲＯＭドライブ３４１２に加えて、ＣＰＵ（Ｃｅｎｔｒａｌ  Ｐｒｏｃｅｓｓｉｎｇ  Ｕｎｉｔ）３４１３と、ＣＰＵ３４１３、ＣＤ−ＲＯＭドライブ３４１２及びＦＤドライブ３４１１に接続されたバス３４１４と、ブートアッププログラム等のプログラムを記憶するためのＲＯＭ（Ｒｅａｄ−Ｏｎｌｙ  Ｍｅｍｏｒｙ）３４１５と、ＣＰＵ３４１３に接続され、アプリケーションプログラムの命令を一時的に記憶するとともに一時記憶空間を提供するためのＲＡＭ（Ｒａｎｄｏｍ  Ａｃｃｅｓｓ  Ｍｅｍｏｒｙ）３４１６と、アプリケーションプログラム、システムプログラム、及びデータを記憶するためのハードディスク３４１７とを含む。ここでは、図示しないが、コンピュータ３４１は、さらに、ＬＡＮへの接続を提供するネットワークカードを含んでも良い。
【０１８８】
コンピュータシステム３４０に、上述した実施の形態の広告情報サーバ装置等の機能を実行させるプログラムは、ＣＤ−ＲＯＭ３５０１、またはＦＤ３５０２に記憶されて、ＣＤ−ＲＯＭドライブ３４１２またはＦＤドライブ３４１１に挿入され、さらにハードディスク３４１７に転送されても良い。これに代えて、プログラムは、図示しないネットワークを介してコンピュータ３４１に送信され、ハードディスク３４１７に記憶されても良い。プログラムは実行の際にＲＡＭ３４１６にロードされる。プログラムは、ＣＤ−ＲＯＭ３５０１、ＦＤ３５０２またはネットワークから直接、ロードされても良い。
【０１８９】
プログラムは、コンピュータ３４１に、上述した実施の形態の広告情報サーバ装置等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３４０がどのように動作するかは周知であり、詳細な説明は省略する。
【０１９０】
また、上記各実施の形態において、各処理（各機能）は、単一の装置（システム）によって集中処理されることによって実現されてもよく、あるいは、複数の装置によって分散処理されることによって実現されてもよい。
【０１９１】
なお、上記プログラムにおいて、情報を送信するステップや、情報を受信するステップなどでは、ハードウェアによって行われる処理、例えば、送信ステップにおけるモデムやインターフェースカードなどで行われる処理（ハードウェアでしか行われない処理）は含まれない。
【０１９２】
また、上記プログラムを実行するコンピュータは、単数であってもよく、複数であってもよい。すなわち、集中処理を行ってもよく、あるいは分散処理を行ってもよい。
【０１９３】
また、上記各実施の形態において、一の装置に存在する２以上の通信手段（情報送信部など）は、物理的に一の媒体で実現されても良いことは言うまでもない。
【０１９４】
本発明は、以上の実施の形態に限定されることなく、種々の変更が可能であり、それらも本発明の範囲内に包含されるものであることは言うまでもない。
【産業上の利用可能性】
【０１９５】
以上のように、本発明にかかる情報処理システムは、正確な学力判定または、正確な採点等が可能である、という効果を有し、学習システム等として有用である。
【図面の簡単な説明】
【０１９６】
【図１】実施の形態１における情報処理システムの概念図
【図２】同情報処理システムのブロック図
【図３】同解答情報取得部の構成図
【図４】同情報処理装置の動作について説明するフローチャート
【図５】同正誤判断処理の動作について説明するフローチャート
【図６】同テスト情報管理表を示す図
【図７】同媒体を示す図
【図８】同出力例を示す図
【図９】同解答情報の例を示す図
【図１０】同時刻情報管理表を示す図
【図１１】同解答情報の例を示す図
【図１２】同正誤判定結果管理表を示す図
【図１３】同問題ごとの正誤の判断結果を集計した情報を示す図
【図１４】同解答制限時間情報管理表を示す図
【図１５】実施の形態２における情報処理システムの概念図
【図１６】同情報処理システムのブロック図
【図１７】同サーバ装置の動作について説明するフローチャート
【図１８】同情報処理装置の動作について説明するフローチャート
【図１９】同サーバ装置等を実現するコンピュータの外観図
【図２０】同サーバ装置等を実現するコンピュータシステムのブロック図
【符号の説明】
【０１９７】
１、２  情報処理システム
１１、２２  情報処理装置
１２  電子ペン
２１、２２  サーバ装置
１１００  指示受付部
１１０１  テスト情報格納部
１１０２、２２０１  問題情報出力部
１１０３、２１０２  解答情報受信部
１１０４  解答時刻情報取得部
１１０５、２２０３  正解情報出力部
１１０６  正解出力時刻情報取得部
１１０７  時刻判断部
１１０８  正誤判断部
１１０９、２１０４  正誤判断結果出力部
１２０１  解答情報取得部
１２０２  解答情報送信部
２１００  指示受信部
２１０１  問題情報送信部
２１０３  正解情報送信部
２１０４  正誤判断結果送信部
２２００  指示送信部
２２０２  解答情報転送部
【図２】
0005105967.tif 000002
【図３】
0005105967.tif 000003
【図４】
0005105967.tif 000004
【図５】
0005105967.tif 000005
【図６】
0005105967.tif 000006
【図９】
0005105967.tif 000007
【図１０】
0005105967.tif 000008
【図１２】
0005105967.tif 000009
【図１４】
0005105967.tif 000010
【図１６】
0005105967.tif 000011
【図１７】
0005105967.tif 000012
【図１８】
0005105967.tif 000013
【図１９】
0005105967.tif 000014
【図２０】
0005105967.tif 000015
【図１】
0005105967.tif 000016
【図７】
0005105967.tif 000017
【図８】
0005105967.tif 000018
【図１１】
0005105967.tif 000019
【図１３】
0005105967.tif 000020
【図１５】
0005105967.tif 000021